(57)【要約】【課題】ショートカットキーと関連付けられた印刷情報をユーザが把握することを可能にする印刷装置、制御方法、及び制御プログラムを提供する。【解決手段】印刷装置はディスプレイを備える。印刷装置のＣＰＵは、第二リストをディスプレイに表示させる（Ｓ７５）。第二リストは、印刷媒体に印刷可能な印刷情報に関連付けられたショートカットキーを含む画像である。ＣＰＵは、第二リストに含まれるショートカットキーのうち一つのショートカットキーの選択を受け付ける（Ｓ７７）。ショートカットキーが選択されると、ＣＰＵは、プレビュー画像をディスプレイに表示させる（Ｓ７９）。プレビュー画像は、ショートカットキーと関連付けられた印刷情報の少なくとも一部を示す。【選択図】図７
2017052190.tif 000002
【特許請求の範囲】
【請求項１】
画像を表示することが可能な表示部と、
印刷媒体に印刷可能な情報を含む印刷情報と関連付けられたショートカットキーを含む選択画像を前記表示部に表示させる第一表示制御手段と、
前記表示部に表示された前記選択画像に含まれる前記ショートカットキーのうち一つのショートカットキーの選択を受け付ける受付手段と、
選択された前記ショートカットキーに関連付けられた印刷情報である選択情報に基づき、前記選択情報の少なくとも一部を示すプレビュー画像を前記表示部に表示させる第二表示制御手段と
を備えたことを特徴とする印刷装置。
【請求項２】
少なくとも前記印刷情報に応じて、前記印刷情報が、前記印刷装置に装着された印刷媒体である装着媒体に印刷可能であるか否かを判断する判断手段を更に備え、
前記第一表示制御手段は、前記判断手段によって、前記装着媒体に印刷可能であると判断された印刷情報と関連付けられたショートカットキーのみを含む前記選択画像を、前記表示部に表示させることを特徴とする請求項１に記載の印刷装置。
【請求項３】
前記装着媒体の情報である第一媒体情報を検出する検出部を更に備え、
前記判断手段は、前記印刷情報が、前記印刷情報を印刷可能な印刷媒体である印刷可能媒体の情報である第二媒体情報を含む場合、前記第一媒体情報と前記第二媒体情報と応じて、前記印刷情報が前記装着媒体に印刷可能であるか否かを判断することを特徴とする請求項２に記載の印刷装置。
【請求項４】
前記印刷媒体はテープ状であり、
前記第一媒体情報は、前記装着媒体が延びる方向と略直交する方向における、前記装着媒体の幅である第一幅であり、
前記第二媒体情報は、前記印刷可能媒体の幅である第二幅を示し、
前記判断手段は、前記第二幅が前記第一幅以下である場合に、前記印刷情報が前記装着媒体に印刷可能であると判断することを特徴とする請求項３に記載の印刷装置。
【請求項５】
前記印刷媒体はテープ状であり、
前記第一媒体情報は、前記装着媒体が延びる方向と略直交する方向における、前記装着媒体の幅である第一幅であり、
前記第二媒体情報は、前記印刷可能媒体の幅である第二幅を示し、
前記判断手段は、前記第二幅が前記第一幅と一致する場合に、前記印刷情報が前記装着媒体に印刷可能であると判断することを特徴とする請求項３に記載の印刷装置。
【請求項６】
前記判断手段は、前記印刷情報が、前記印刷情報を印刷可能な印刷媒体である印刷可能媒体の情報である第二媒体情報を含まない場合、前記印刷情報が前記装着媒体に印刷可能であると判断することを特徴とする請求項２に記載の印刷装置。
【請求項７】
前記判断手段は、前記印刷情報が前記第二媒体情報を含まない場合、前記印刷情報が前記装着媒体に印刷可能であると判断することを特徴とする請求項３から５の何れかに記載の印刷装置。
【請求項８】
前記印刷情報を記憶する記憶部と、
前記記憶部に記憶された前記印刷情報が削除された場合に、前記選択画像に含まれる前記ショートカットキーから、削除された前記印刷情報に関連付けられたショートカットキーを削除する削除手段と
を更に備えたことを特徴とする請求項１から７の何れかに記載の印刷装置。
【請求項９】
前記第二表示制御手段は、前記プレビュー画像と、選択された前記ショートカットキーを含む前記選択画像とを、前記表示部に表示させることを特徴とする請求項１から８の何れかに記載の印刷装置。
【請求項１０】
画像を表示することが可能な表示部を備えた印刷装置の制御方法であって、
印刷媒体に印刷可能な情報を含む印刷情報と関連付けられたショートカットキーを含む選択画像を前記表示部に表示させる第一表示制御ステップと、
前記表示部に表示された前記選択画像に含まれる前記ショートカットキーのうち一つのショートカットキーの選択を受け付ける受付ステップと、
選択された前記ショートカットキーに関連付けられた印刷情報である選択情報に基づき、前記選択情報の少なくとも一部を示すプレビュー画像を前記表示部に表示させる第二表示制御ステップと
を備えたことを特徴とする印刷装置の制御方法。
【請求項１１】
画像を表示することが可能な表示部を備えた印刷装置のコンピュータに、
印刷媒体に印刷可能な情報を含む印刷情報と関連付けられたショートカットキーを含む選択画像を前記表示部に表示させる第一表示制御ステップと、
前記表示部に表示された前記選択画像に含まれる前記ショートカットキーのうち一つのショートカットキーの選択を受け付ける受付ステップと、
選択された前記ショートカットキーに関連付けられた印刷情報である選択情報に基づき、前記選択情報の少なくとも一部を示すプレビュー画像を前記表示部に表示させる第二表示制御ステップと
を実行させるための制御プログラム。
【発明の詳細な説明】
【技術分野】
【０００１】
本発明は、表示部を備える印刷装置並びに制御方法及び制御プログラムに関する。
【背景技術】
【０００２】
表示部を備える印刷装置が知られている。例えば、特許文献１に開示の画像処理装置は、画像データに基づいて用紙に印刷を行う。画像処理装置は表示部を備える。画像処理装置は、機能設定画面に遷移するショートカットキーを、プルダウンメニュー方式で表示部に表示する。
【先行技術文献】
【特許文献】
【０００３】
【特許文献１】特許第４９９４１８４号公報
【発明の概要】
【発明が解決しようとする課題】
【０００４】
印刷装置の表示部の大きさは限られている。上記画像処理装置において、ショートカットキーと関連付けられた印刷情報を示すプレビュー画像は、表示部に表示されない。従って、ユーザは、ショートカットキーと関連付けられた印刷情報を把握することができない。
【０００５】
本発明の目的は、ショートカットキーと関連付けられた印刷情報をユーザが把握することを可能にする印刷装置、制御方法、及び制御プログラムを提供することである。
【課題を解決するための手段】
【０００６】
本発明の第一態様に係る印刷装置は、画像を表示することが可能な表示部と、印刷媒体に印刷可能な情報を含む印刷情報と関連付けられたショートカットキーを含む選択画像を前記表示部に表示させる第一表示制御手段と、前記表示部に表示された前記選択画像に含まれる前記ショートカットキーのうち一つのショートカットキーの選択を受け付ける受付手段と、選択された前記ショートカットキーに関連付けられた印刷情報である選択情報に基づき、前記選択情報の少なくとも一部を示すプレビュー画像を前記表示部に表示させる第二表示制御手段とを備える。
【０００７】
第一態様によれば、ユーザは、選択画像に含まれるショートカットキーから、ユーザの所望するショートカットキーを選択できる。印刷装置は、選択情報の少なくとも一部を示すプレビュー画像を表示部に表示させることができる。ユーザは、プレビュー画像を見ることにより、ショートカットキーと関連付けられた印刷情報を把握できる。
【０００８】
本発明の第二態様に係る制御方法は、画像を表示することが可能な表示部を備えた印刷装置の制御方法であって、印刷媒体に印刷可能な情報を含む印刷情報と関連付けられたショートカットキーを含む選択画像を前記表示部に表示させる第一表示制御ステップと、前記表示部に表示された前記選択画像に含まれる前記ショートカットキーのうち一つのショートカットキーの選択を受け付ける受付ステップと、選択された前記ショートカットキーに関連付けられた印刷情報である選択情報に基づき、前記選択情報の少なくとも一部を示すプレビュー画像を前記表示部に表示させる第二表示制御ステップとを備える。第二態様によれば、第一態様と同様の効果を奏することができる。
【０００９】
本発明の第三態様に係る制御プログラムは、画像を表示することが可能な表示部を備えた印刷装置のコンピュータに、印刷媒体に印刷可能な情報を含む印刷情報と関連付けられたショートカットキーを含む選択画像を前記表示部に表示させる第一表示制御ステップと、前記表示部に表示された前記選択画像に含まれる前記ショートカットキーのうち一つのショートカットキーの選択を受け付ける受付ステップと、選択された前記ショートカットキーに関連付けられた印刷情報である選択情報に基づき、前記選択情報の少なくとも一部を示すプレビュー画像を前記表示部に表示させる第二表示制御ステップとを実行させる。第三態様によれば、第一態様及び第二態様と同様の効果を奏することができる。
【図面の簡単な説明】
【００１０】
【図１】カバー６が閉じられた状態にある印刷装置１の斜視図である。
【図２】カバー６が開かれた状態にある印刷装置１及びテープカセット３０の斜視図である。
【図３】印刷装置１の電気的構成を示すブロック図である。
【図４】ショートカット登録処理のフローチャートである。
【図５】第一リスト表示処理のフローチャートである。
【図６】ディスプレイ５に表示される画面の流れを示す説明図である。
【図７】ショートカット挿入処理のフローチャートである。
【図８】第二リスト表示処理のフローチャートである。
【図９】ディスプレイ５に表示される画面２０１を示す図である。
【発明を実施するための形態】
【００１１】
本発明を具体化した実施の形態について、図面を参照して説明する。なお、参照する図面は、本発明が採用し得る技術的特徴を説明するために用いられるものであり、記載されている装置の構成などは、それのみに限定する趣旨ではなく、単なる説明例である。
【００１２】
図１及び図２を参照して、印刷装置１の概略構成について説明する。以下の説明では、図１及び図２の右上側、左下側、右下側、左上側、上側、下側を、それぞれ、印刷装置１の後側、前側、右側、左側、上側、下側とする。
【００１３】
図１に示すように、印刷装置１の上面には、キャラクタ（文字、記号、数字など）を入力するためのキーボード３が設けられている。キーボード３の後側（紙面右上側）には、電源スイッチ、方向キー、用途キー等の機能キー群４が設けられている。用途キーは、ショートカット機能キー、印刷キー、確定キー、キャンセルキーなどを含む。以下の説明では、キーボード３と機能キー群４とを総称する場合、操作部２という。機能キー群４の後側には、ディスプレイ５が設けられている。印刷装置１の上面の後部には、開閉可能なカバー６が設けられている。印刷装置１の左後角には、後述するカット機構（図示略）によって切断された印刷済の印刷媒体を受けるトレイ７が設けられている。
【００１４】
図２に示すように、ディスプレイ５の後側には、テープカセット３０が着脱されるカセット装着部８が形成されている。本実施形態のテープカセット３０は、略直方体状（箱型）の筐体であるカセットケースの内部に、テープ状の印刷媒体や、印刷に使用されるインクリボンなどが収容されている。印刷装置１では、カセット装着部８に装着されたテープカセット３０を用いて、印刷媒体に印刷情報が印刷される。
【００１５】
カセット装着部８には、駆動軸１１、巻取軸９、サーマルヘッド１０（図３参照）、検出部１２（図３参照）などが設けられている。駆動軸１１は、印刷媒体を搬送するために用いられる。巻取軸９は、使用済みのインクリボンを巻き取るために用いられる。サーマルヘッド１０は、印刷媒体に印刷を行う。本実施形態では、サーマルヘッド１０が、搬送される印刷媒体に未使用のインクリボンを用いて印刷を行う。印刷媒体の搬送方向におけるサーマルヘッド１０の下流側には、カット機構（図示略）が設けられている。カット機構は、印刷済みの印刷媒体を切断する。
【００１６】
検出部１２は、複数（例えば、５つ）の検出スイッチを含む。各検出スイッチのスイッチ端子は、押圧されていない時は、図示しないバネ部材によって伸出した状態となる。この場合、検出スイッチはオフ状態である。一方、スイッチ端子が押圧されると、検出スイッチはオン状態となる。印刷装置１では、複数の検出スイッチのオン・オフの組合せに基づき、カセット装着部８に装着されたテープカセット３０の種類の検出が行われる。
【００１７】
検出スイッチのオン・オフの組合せに基づくテープカセット３０の種類の特定方法として、いかなる周知の方法が採用されてもよい。例えば、テープカセット３０の種類は、フラッシュメモリ４１０（図３参照）に記憶されたテープ種類テーブル（図示略）を参照して特定できる。テープ種類テーブルには、検出スイッチのオン・オフの組合せと、対応するテープカセット３０の種類を示す情報が定義されていればよい。本実施形態では、テープカセット３０の種類を示す情報は、印刷媒体の情報を含む。詳細には、印刷媒体の情報は、印刷媒体が延びる方向と略直交する方向における、印刷媒体の幅を含む。例えば、印刷媒体が延びる方向は、印刷媒体の搬送方向である。テープカセット３０の種類を示す情報は、ラミネートタイプ、レセプタタイプ、チューブタイプ等、印刷媒体の種類を示す情報を含んでもよい。
【００１８】
図３を参照して、印刷装置１の電気的構成について説明する。図３に示すように、印刷装置１は、制御基板上に形成される制御回路部４００を備える。制御回路部４００は、ＣＰＵ４０１、ＲＯＭ４０２、ＲＡＭ４０４、フラッシュメモリ４１０、入出力インターフェース４１１などを備え、これらがデータバスを介して接続されている。
【００１９】
ＲＯＭ４０２には、ＣＰＵ４０１が印刷装置１を制御するために実行する各種プログラムが記憶されている。ＲＡＭ４０４は、一時的なデータを記憶する。ＲＡＭ４０４には、印刷バッファ等、複数の記憶領域が設けられている。印刷バッファには、印刷対象の印刷用ドットパターンデータが格納される。他の記憶領域には、各種演算データ等が記憶される。
【００２０】
印刷装置１の電源がオンされると、ＣＰＵ４０１は、初期化処理を行う。その後、ＣＰＵ４０１は、検出部１２から出力される信号が示す検出スイッチのオン・オフの組合せに基づき、装着されているテープカセット３０の種類を特定する。電源がオンされている状態で、テープカセット３０がカセット装着部８に装着されると、ＣＰＵ４０１は、検出部１２から出力される信号が示す検出スイッチのオン・オフの組合せに基づき、装着されているテープカセット３０の種類を特定する。ＣＰＵ４０１は、特定したテープカセット３０の種類の情報をＲＡＭ４０４に記憶する。
【００２１】
フラッシュメモリ４１０には、テープ種類テーブルを含む各種テーブル、印刷情報、ショートカットキーの情報等が記憶されている。印刷情報は、キャラクタ、外字、データベース、転送テンプレート、編集ファイルの何れかを示す。キャタクタの印刷情報は、キャラクタを示すキャラクタデータを含む。外字の印刷情報は、外字を示すキャラクタデータを含む。データベース、転送テンプレート、及び編集ファイルについては後述する。
【００２２】
入出力インターフェース４１１には、検出部１２、操作部２、液晶駆動回路（ＬＣＤＣ）４０５、駆動回路４０６、４０７、４０８などが接続されている。ＬＣＤＣ４０５は、ディスプレイ５に表示データを出力するためのビデオＲＡＭ（図示略）を有する。駆動回路４０６は、サーマルヘッド１０を駆動するための電子回路である。駆動回路４０７は、巻取軸９及び駆動軸１１を回転させるテープ送りモータ２４を駆動するための電子回路である。駆動回路４０８は、カット機構（図示略）を動作させるカッターモータ２５を駆動するための電子回路である。
【００２３】
図４〜図６を参照して、本実施形態に係るショートカット登録処理を説明する。図６の右側、左側、上側、下側を、それぞれ、画面１０１、１０２、１０３の右側、左側、上側、下側とする。ショートカット登録処理では、ショートカットキーを印刷情報と関連付けて登録できる。ショートカットキーは、印刷情報と関連付けられた画像である。ショートカット登録処理では、登録済みのショートカットキーの名称（以下、ショートカット名という）を編集できる。また、ショートカット登録処理では、登録済みのショートカットキーを削除できる。
【００２４】
印刷装置１の電源がオンされると、ＣＰＵ４０１は、ＲＯＭ４０２に記憶されたプログラムを実行することで、図４に示すショートカット登録処理を開始する。図４に示すように、まず、ＣＰＵ４０１は、初期化を行った後、メイン画面（図示略）をディスプレイ５に表示させる（Ｓ１１）。メイン画面は、ショートカット登録モード、入力・編集モード、印刷モード等、各種処理モードを選択するための画像を含む。ユーザは、方向キーを用いて何れかの画像を選択し、確定キーを押す。これにより、ユーザは印刷装置１に、各種処理モードへの移行を指示できる。
【００２５】
Ｓ１１を実行後、ＣＰＵ４０１は、ショートカット登録モードへの移行が指示されたか否かを判断する（Ｓ１３）。本実施形態では、ショートカット登録モードを示す画像が選択されて、確定キーが押された場合に、ＣＰＵ４０１は、ショートカット登録モードへの移行が指示されたと判断する。ショートカット登録モードへの移行が指示されていない場合（Ｓ１３：ＮＯ）、ＣＰＵ４０１はＳ１３を繰り返す。ショートカット登録モードへの移行が指示された場合（Ｓ１３：ＹＥＳ）、ＣＰＵ４０１は第一リスト表示処理を実行する（Ｓ１５）。
【００２６】
図５を参照して、第一リスト表示処理を説明する。まず、ＣＰＵ４０１は、ショートカットキーと関連付けられた印刷情報が印刷装置１に記憶されているか否かを判断する（Ｓ６１）。ショートカットキーは、ソース情報と関連付けられて、フラッシュメモリ４１０に記憶されている。ソース情報は、ショートカットキーと関連付けられた印刷情報が記憶されている記憶領域を示す。ＣＰＵ４０１は、ソース情報が示す記憶領域を参照して、印刷情報が記憶されているか否かを判断する。ショートカットキーと関連付けられた印刷情報が記憶されていない場合（Ｓ６１：ＮＯ）、ＣＰＵ４０１は、ショートカットキーの情報を、フラッシュメモリ４１０から削除する（Ｓ６３）。これにより、印刷装置１に記憶されていない印刷情報と関連付けられたショートカットキーが、登録されているショートカットキーから削除される。
【００２７】
ショートカットキーと関連付けられた印刷情報が記憶されている場合（Ｓ６１：ＹＥＳ）、又は、Ｓ６３を実行後、ＣＰＵ４０１は、登録されている全てのショートカットキーについて、Ｓ６１が実行されたか否かを判断する（Ｓ６５）。全てのショートカットキーについてＳ６１が実行されていない場合（Ｓ６５：ＮＯ）、ＣＰＵ４０１は処理をＳ６１に戻す。ＣＰＵ４０１は、Ｓ６１が実行されていないショートカットキーについてＳ６１を実行する。全てのショートカットキーについてＳ６１が実行されている場合（Ｓ６５：ＹＥＳ）、ＣＰＵ４０１は、第一リストをディスプレイ５に表示させる（Ｓ６７）。第一リストは、登録されているショートカットキーを含む画像である。
【００２８】
図６を参照して、Ｓ１１、Ｓ１３、Ｓ１５が実行された場合に表示される画面の例を説明する。図６に例示するように、ショートカット登録処理を開始後、ショートカット登録モードが選択されると、ディスプレイ５に画面１０１が表示される（Ｓ１１、Ｓ１３：ＹＥＳ、Ｓ１５）。画面１０１には、第一リスト１１０が表示される。第一リスト１１０は、登録済みのショートカットキー１１１及び１１２を含む。また、第一リスト１１０は、未登録キー１１３を含む。未登録キー１１３は、新たにショートカットキーを登録する場合に選択される画像である。第一リスト１１０には、登録済みのショートカットキー及び未登録キーを、合わせて所定数（例えば、３つ）以下表示できる。
【００２９】
登録済みのショートカットキーと未登録キーとを合わせた数が所定数を超える場合、例えば、第一リストの一頁目に、所定数のショートカットキー、又は、ショートカットキー及び未登録キーが合わせて所定数、表示されればよい。ユーザが方向キーを操作することにより、第一リストの頁が切り替えられ、他のショートカットキーが表示されればよい。
【００３０】
例えば、ショートカットキー１１１が選択されている場合、ショートカットキー１１１が反転表示される。画面１０１には、選択されているショートカットキー１１１と関連付けられた印刷情報の少なくとも一部を示すプレビュー画像１２１が更に表示される。画面１０１の一部（例えば、下側）には、プレビュー画像表示領域１２０が設けられる。プレビュー画像１２１はプレビュー画像表示領域１２０に表示される。
【００３１】
本実施形態では、プレビュー画像表示領域１２０の左右方向の長さ及び上下方向の長さは固定されている。印刷情報が、印刷情報を印刷可能な印刷媒体（以下、印刷可能媒体という）の情報として、印刷可能媒体の幅の情報を含む場合、印刷可能媒体の幅がプレビュー画像表示領域１２０の上下方向の長さに一致するように、印刷情報は拡大・縮小される。印刷情報が、印刷可能媒体の幅の情報を含まない場合、印刷情報が装着媒体の幅に収まり、且つ、装着媒体の幅がプレビュー画像表示領域１２０の上下方向の長さに一致するように、印刷情報は拡大・縮小される。拡大・縮小された印刷情報の少なくとも一部が、プレビュー画像として表示される。
【００３２】
例えば、印刷情報は、印刷情報が示す左端の位置がプレビュー画像表示領域１２０の左端に位置するように表示される。印刷情報の左側に余白が設定されている場合、余白の左端がプレビュー画像表示領域１２０の左端に位置するように、印刷情報は表示される。印刷情報が左右方向に長い場合、印刷情報の右側がプレビュー画像として表示されないことがある。プレビュー画像は左右方向にスクロール可能であってもよい。なお、印刷情報がデータベースである場合、データベースに含まれるキャラクタデータが示す情報の一部が表示されればよい。
【００３３】
Ｓ６７を実行後、ＣＰＵ４０１はショートカット登録処理（図４参照）に戻る。ＣＰＵ４０１は、ショートカット登録処理に戻ると、第一リストに含まれるショートカットキー又は未登録キーが選択されたか否かを判断する（Ｓ１７）。方向キーを用いてショートカットキー又は未登録キーが選択されて、確定キーが押された場合に、ＣＰＵ４０１は、ショートカットキー又は未登録キーが選択されたと判断する。例えば、選択されているショートカットキー又は未登録キーは反転表示される。ショートカットキー又は未登録キーが選択されていない場合（Ｓ１７：ＮＯ）、ＣＰＵ４０１はＳ１７を繰り返す。
【００３４】
ショートカットキー又は未登録キーが選択された場合（Ｓ１７：ＹＥＳ）、ＣＰＵ４０１は、登録済みのショートカットキーが選択されたか否かを判断する（Ｓ１９）。ショートカットキーが選択されている場合（Ｓ１９：ＹＥＳ）、ＣＰＵ４０１は、ショートカット編集画面をディスプレイ５に表示させる（Ｓ２１）。ショートカット編集画面は、ショートカットキーの編集を印刷装置１に指示するために用いられる。
【００３５】
図６を参照して、ショートカット編集画面の例を説明する。図６に例示するように、第一リスト表示処理を実行後、ショートカットキーが選択されると、ディスプレイ５にショートカット編集画面として、画面１０２が表示される（Ｓ１７：ＹＥＳ、Ｓ１９：ＹＥＳ、Ｓ２１）。画面１０２には、選択されたショートカットキーのショートカット名１３１が表示される。ショートカット名が長い場合、ショートカット名１３１の一部のみが表示されてもよい。更に、画面１０２には、編集項目を示す画像１４１及び１４２が表示される。本実施形態では、編集項目は、ショートカット名の編集とショートカットキーの削除とを含む。画像１４１は、ショートカット名の編集を示す。画像１４２は、ショートカットキーの削除を示す。
【００３６】
Ｓ２１を実行後、ＣＰＵ４０１は、ショートカット名の編集が指示されたか否かを判断する（Ｓ２３）。方向キーを用いて画像１４１が選択されて、確定キーが押された場合に、ＣＰＵ４０１は、ショートカット名の編集が指示されたと判断する。ショートカット名の編集が指示された場合（Ｓ２３：ＹＥＳ）、ＣＰＵ４０１は、名称編集画面（図示略）をディスプレイ５に表示させる（Ｓ２５）。ユーザは、名称編集画面において、操作部２を用いてショートカット名を編集できる。
【００３７】
Ｓ２５を実行後、ＣＰＵ４０１は、操作部２を用いてショートカット名が編集されたか否かを判断する（Ｓ２７）。ショートカット名が編集されていない場合（Ｓ２７：ＮＯ）、ＣＰＵ４０１はＳ２７を繰り返す。ショートカット名が編集された場合（Ｓ２７：ＹＥＳ）、ＣＰＵ４０１は、Ｓ１７において選択されたショートカットキーの名称を、編集されたショートカット名に更新する（Ｓ２９）。
【００３８】
Ｓ２３において、ショートカット名の編集が指示されていない場合（Ｓ２３：ＮＯ）、ＣＰＵ４０１は、ショートカットキーの削除が指示されたか否かを判断する（Ｓ３１）。方向キーを用いて画像１４２が選択されて、確定キーが押された場合に、ＣＰＵ４０１は、ショートカットキーの削除が指示されたと判断する。ショートカットキーの削除が指示されていない場合（Ｓ３１：ＮＯ）、ＣＰＵ４０１は処理をＳ２３に戻す。ショートカットキーの削除が指示された場合（Ｓ３１：ＹＥＳ）、ＣＰＵ４０１は、Ｓ１７において選択されたショートカットキーの情報を、フラッシュメモリ４１０から削除する（Ｓ３３）。これにより、Ｓ１７において選択されたショートカットキーが、登録されているショートカットキーから削除される。
【００３９】
Ｓ１９において、未登録キーが選択されている場合（Ｓ１９：ＮＯ）、ＣＰＵ４０１は、種類選択画面をディスプレイ５に表示させる（Ｓ３５）。種類選択画面は、印刷情報の種類を選択するための画像を含む。
【００４０】
図６を参照して、種類選択画面の例を説明する。図６に例示するように、未登録キーが選択されると、ディスプレイ５に種類選択画面として、画面１０３が表示される（Ｓ１７：ＹＥＳ、Ｓ１９：ＮＯ、Ｓ３５）。画面１０３には、印刷情報の種類を示す画像１５１、１５２、１５３、１５４が表示される。本実施形態では、印刷情報の種類は、記号、外字、データベース、転送テンプレート、及び編集ファイルを含む。画像１５１は記号又は外字を示す。画像１５２はデータベースを示す。画像１５３は転送テンプレートを示す。画像１５４は編集ファイルを示す。
【００４１】
編集ファイルは、印刷装置１において、キャラクタ及び外字の少なくとも一方を組み合わせて作成された印刷情報である。作成された印刷情報は、フラッシュメモリ４１０に記憶される。なお、上述の通り、キャラクタは記号を含む。転送テンプレートは、印刷装置１以外の装置から印刷装置１に転送された印刷情報である。本実施形態では、転送テンプレートの印刷情報は、印刷可能媒体の幅の情報を含む。転送テンプレートの印刷情報は、印刷媒体が延びる方向における長さの情報も含む。例えば、パーソナルコンピュータ（ＰＣ）で印刷情報が作成されてもよい。ＰＣと印刷装置１とが有線又は無線で接続され、ＰＣで作成された印刷情報が、印刷装置１に転送されてもよい。
【００４２】
Ｓ３５を実行後、ＣＰＵ４０１は、印刷情報の種類が選択されたか否かを判断する（Ｓ３７）。方向キーを用いて画像１５１、１５２、１５３、１５４の何れかが選択されて、確定キーが押された場合に、ＣＰＵ４０１は、印刷情報の種類が選択されたと判断する。印刷情報の種類が選択されていない場合（Ｓ３７：ＮＯ）、ＣＰＵ４０１はＳ３７を繰り返す。印刷情報の種類が選択された場合（Ｓ３７：ＹＥＳ）、ＣＰＵ４０１は、選択された印刷情報の種類に応じた画面（図示略）をディスプレイ５に表示させる（Ｓ３９）。選択された印刷情報の種類に応じた画面は、印刷情報を選択するための画像を含む。
【００４３】
Ｓ３９を実行後、ＣＰＵ４０１は、印刷情報が選択されたか否かを判断する（Ｓ４１）。操作部２を用いて印刷情報が選択され、確定キーが押された場合に、ＣＰＵ４０１は、印刷情報が選択されたと判断する。印刷情報が選択されていない場合（Ｓ４１：ＮＯ）、ＣＰＵ４０１はＳ４１を繰り返す。印刷情報が選択された場合（Ｓ４１：ＹＥＳ）、ＣＰＵ４０１は、名称入力画面（図示略）をディスプレイ５に表示させる（Ｓ４３）。名称入力画面は、ショートカット名を入力するための領域を含む。
【００４４】
Ｓ４３を実行後、ＣＰＵ４０１は、ショートカット名が入力されたか否かを判断する（Ｓ４５）。キーボード３を用いてショートカット名が入力され、確定キーが押された場合に、ＣＰＵ４０１は、ショートカット名が入力されたと判断する。ショートカット名が入力されていない場合（Ｓ４５：ＮＯ）、ＣＰＵ４０１はＳ４５を繰り返す。ショートカット名が入力された場合（Ｓ４５：ＹＥＳ）、ＣＰＵ４０１は、Ｓ１７において選択されたショートカットキーを登録する（Ｓ４７）。詳細には、ＣＰＵ４０１は、ショートカットキーをソース情報と関連付けて、フラッシュメモリ４１０に記憶する。これにより、ショートカットキーが印刷情報と関連付けられる。
【００４５】
Ｓ２９、Ｓ３３、又はＳ４７を実行後、ＣＰＵ４０１はショートカット登録処理を終了する。
【００４６】
次に、図７〜図９を参照して、本実施形態に係るショートカット挿入処理を説明する。図９の右側、左側、上側、下側を、それぞれ、画面２０１の右側、左側、上側、下側とする。ショートカット挿入処理では、ショートカットキーと関連付けられた印刷情報を選択して、印刷情報に応じた処理を実行できる。
【００４７】
印刷装置１が入力・編集モードで動作している状態で、ショートカット機能キーが押されると、ＣＰＵ４０１は、ＲＯＭ４０２に記憶されたプログラムを実行することで、図７に示すショートカット挿入処理を開始する。入力・編集モードは、印刷情報を入力及び編集可能なモードである。ＣＰＵ４０１が入力・編集モードに移行した時、入力・編集画面（図示略）がディスプレイ５に表示される。
【００４８】
図７に示すように、まず、ＣＰＵ４０１は、第二リスト表示処理を実行する（Ｓ７５）。図８を参照して、第二リスト表示処理を説明する。まず、ＣＰＵ４０１は、ショートカットキーと関連付けられた印刷情報が印刷装置１に記憶されているか否かを判断する（Ｓ１２１）。上述の通り、ショートカットキーはソース情報と関連付けられている。ＣＰＵ４０１は、ソース情報が示す記憶領域を参照して、印刷情報が記憶されているか否かを判断する。ショートカットキーと関連付けられた印刷情報が記憶されていない場合（Ｓ１２１：ＮＯ）、
ＣＰＵ４０１は、ショートカットキーの情報を、フラッシュメモリ４１０から削除する（Ｓ１２３）。これにより、印刷装置１に記憶されていない印刷情報と関連付けられたショートカットキーが、登録されているショートカットキーから削除される。
【００４９】
ショートカットキーと関連付けられた印刷情報が記憶されている場合（Ｓ１２１：ＹＥＳ）、ＣＰＵ４０１は、印刷情報が、印刷装置１に装着されているテープカセット３０に収容された印刷媒体（以下、装着媒体という）に印刷可能であるか否かを判断する（Ｓ１２５）。
【００５０】
本実施形態では、印刷情報が印刷可能媒体の情報を含まない場合、ＣＰＵ４０１は、印刷情報が装着媒体に印刷可能であると判断する。印刷情報が印刷可能媒体の情報を含む場合、ＣＰＵ４０１は、ＲＡＭ４０４に記憶されたテープカセット３０の種類の情報、詳細には、装着媒体の情報を参照する。ＣＰＵ４０１は、装着媒体の情報と印刷可能媒体の情報とに応じて、印刷情報が装着媒体に印刷可能であるか否かを判断する。本実施形態では、印刷可能媒体の情報は印刷可能媒体の幅を示す。ＣＰＵ４０１は、印刷可能媒体の幅が装着媒体の幅と一致する場合に、印刷情報が装着媒体に印刷可能であると判断する。
【００５１】
印刷情報が装着媒体に印刷可能である場合（Ｓ１２５：ＹＥＳ）、ＣＰＵ４０１は、印刷情報について、表示フラグを１に設定する（Ｓ１２７）。表示フラグ「１」は、後述するＳ１３４において表示される第二リストに印刷情報が含まれることを示す。印刷情報が装着媒体に印刷可能でない場合（Ｓ１２５：ＮＯ）、ＣＰＵ４０１は、印刷情報について、表示フラグを０に設定する（Ｓ１２９）。表示フラグ「０」は、第二リストに印刷情報が含まれないことを示す。
【００５２】
Ｓ１２３、Ｓ１２７、又はＳ１２９を実行後、ＣＰＵ４０１は、登録されている全てのショートカットキーについて、Ｓ１２１が実行されたか否かを判断する（Ｓ１３１）。全てのショートカットキーについてＳ１２１が実行されていない場合（Ｓ１３１：ＮＯ）、ＣＰＵ４０１は処理をＳ１２１に戻す。ＣＰＵ４０１は、Ｓ１２１が実行されていないショートカットキーについてＳ１２１を実行する。全てのショートカットキーについてＳ１２１が実行されている場合（Ｓ１３１：ＹＥＳ）、ＣＰＵ４０１は、第二リストをディスプレイ５に表示させる（Ｓ１３４）。第二リストは、登録されているショートカットキーのうち、表示フラグが１のショートカットキーを含む画像である。第二リストは、登録されているショートカットキーのうち、装着媒体に印刷可能な印刷情報に関連付けられたショートカットキーを含む。
【００５３】
Ｓ１３４を実行後、ＣＰＵ４０１はショートカット挿入処理（図７参照）に戻る。ＣＰＵ４０１は、ショートカット挿入処理に戻ると、第二リストに含まれるショートカットキーが選択されているか否かを判断する（Ｓ７７）。ユーザは、方向キーを用いて何れかのショートカットキーを選択する。例えば、選択されているショートカットキーは反転表示される。ショートカットキーが選択されていない場合（Ｓ７７：ＮＯ）、ＣＰＵ４０１はＳ７７を繰り返す。
【００５４】
ショートカットキーが選択されている場合（Ｓ７７：ＹＥＳ）、ＣＰＵ４０１は、ショートカットキーと関連付けられた印刷情報に基づき、印刷情報の少なくとも一部を示すプレビュー画像を、ディスプレイ５に表示させる（Ｓ７９）。
【００５５】
図９を参照して、Ｓ７５、Ｓ７７、Ｓ７９が実行された場合に表示される画面の例を説明する。図９に例示するように、ショートカット挿入処理を開始後、ショートカットキーが選択されると、ディスプレイ５に画面２０１が表示される（Ｓ７５、Ｓ７７：ＹＥＳ、Ｓ７９）。画面２０１には、第二リスト２１０が表示される。第二リストは、ショートカットキー２１１、２１２、２１３を含む。ショートカットキー２１１、２１２、２１３はそれぞれ、装着媒体に印刷可能な印刷情報に関連付けられたショートカットキーである。第二リストには、所定数（例えば、３つ）以下のショートカットキーを表示できる。装着媒体に印刷可能な印刷情報に関連付けられたショートカットキーの数が所定数を超える場合、例えば、第二リストの一頁目に、所定数のショートカットキーが表示されればよい。ユーザが方向キーを操作することにより、第二リストの頁が切り替えられ、他のショートカットキーが表示されればよい。
【００５６】
例えば、ショートカットキー２１１が選択されている場合、ショートカットキー２１１が反転表示される。画面２０１には、選択されたショートカットキー２１１と関連付けられた印刷情報の少なくとも一部を示すプレビュー画像２２１が更に表示される。画面２０１の一部（例えば、下側）には、プレビュー画像表示領域２２０が設けられる。プレビュー画像２２１は、プレビュー画像表示領域２２０に表示される。
【００５７】
本実施形態では、プレビュー画像表示領域２２０の左右方向の長さ及び上下方向の長さは固定されている。印刷情報が、印刷可能媒体の情報として、印刷可能媒体の幅の情報を含む場合、印刷可能媒体の幅がプレビュー画像表示領域２２０の上下方向の長さに一致するように、印刷情報は拡大・縮小される。印刷情報が、印刷可能媒体の幅の情報を含まない場合、印刷情報が装着媒体の幅に収まり、且つ、装着媒体の幅がプレビュー画像表示領域２２０の上下方向の長さに一致するように、印刷情報は拡大・縮小される。拡大・縮小された印刷情報の少なくとも一部が、プレビュー画像として表示される。
【００５８】
例えば、印刷情報は、印刷情報が示す左端の位置がプレビュー画像表示領域２２０の左端に位置するように表示される。印刷情報の左側に余白が設定されている場合、余白の左端がプレビュー画像表示領域２２０の左端に位置するように、印刷情報は表示される。印刷情報が左右方向に長い場合、印刷情報の右側がプレビュー画像として表示されないことがある。プレビュー画像は左右方向にスクロール可能であってもよい。なお、印刷情報がデータベースである場合、データベースに含まれるキャラクタデータが示す情報の一部が表示されればよい。
【００５９】
Ｓ７９を実行後、ＣＰＵ４０１は、ショートカットキーの選択が確定されたか否かを判断する（Ｓ８１）。ＣＰＵ４０１は、確定キーが押された場合に、ショートカットキーの選択が確定されたと判断する。ショートカットキーの選択が確定されていない場合（Ｓ８１：ＮＯ）、ＣＰＵ４０１は処理をＳ７７に戻す。ショートカットキーの選択が確定された場合（Ｓ８１：ＹＥＳ）、ＣＰＵ４０１は、ショートカットキーと関連付けられた印刷情報が、記号又は外字を示すか否かを判断する（Ｓ８３）。印刷情報が記号又は外字を示す場合（Ｓ８３：ＹＥＳ）、ＣＰＵ４０１は、入力・編集画面（図示略）で指定された位置に、印刷情報を挿入する（Ｓ８５）。その後、ＣＰＵ４０１はショートカット挿入処理を終了する。
【００６０】
ショートカットキーと関連付けられた印刷情報が記号又は外字を示さない場合（Ｓ８３：ＮＯ）、ＣＰＵ４０１は、印刷情報がデータベースを示すか否かを判断する（Ｓ８７）。印刷情報がデータベースを示す場合（Ｓ８７：ＹＥＳ）、ＣＰＵ４０１は、データベースモードへ移行し（Ｓ８９）、ショートカット挿入処理を終了する。詳細な説明は省略するが、データベースモードは、データベースをオブジェクトと関連付けるモードである。データベースの個々のデータ群であるレコードにおいて、各フィールドには、キャラクタデータが含まれる。オブジェクトは、各フィールドおけるキャラクタデータが示す情報が印刷される場合における、フィールドの配置を示す情報を含む。オブジェクトは更に、データベース印刷において印刷される印刷情報を含んでもよい。
【００６１】
ショートカットキーと関連付けられた印刷情報がデータベースを示さない場合（Ｓ８７：ＮＯ）、ＣＰＵ４０１は、印刷情報が編集ファイルを示すか否かを判断する（Ｓ９１）。印刷情報が編集ファイル示さない場合（Ｓ９１：ＮＯ）、印刷情報は転送テンプレートを示す。この場合、ＣＰＵ４０１は、転送テンプレートメニュー画面（図示略）をディスプレイ５に表示させる（Ｓ９７）。転送テンプレートメニュー画面は、印刷情報の印刷、編集、削除等、各種処理を選択するための画像を含む。ユーザは、方向キーを用いて何れかの画像を選択し、確定キーを押す。これにより、ユーザは印刷装置１に、各種処理を指示できる。
【００６２】
Ｓ９７を実行後、ＣＰＵ４０１は、印刷情報（転送テンプレート）の印刷が指示されたか否かを判断する（Ｓ９９）。本実施形態では、方向キーを用いて印刷を示す画像が選択されて、確定キーが押された場合に、ＣＰＵ４０１は、印刷情報の印刷が指示されたと判断する。印刷情報が編集ファイルを示す場合（Ｓ９１：ＹＥＳ）、又は、印刷情報（転送テンプレート）の印刷が指示された場合（Ｓ９９：ＹＥＳ）、ＣＰＵ４０１は、印刷画面（図示略）をディスプレイ５に表示させ、印刷枚数の指定を受け付ける（Ｓ９３）。印刷画面は、印刷枚数を指定するための画像を含む。ＣＰＵ４０１は、操作部２を介して印刷枚数の指定を受け付けると、印刷情報（編集ファイル又は転送テンプレート）に基づき、印刷処理を実行する（Ｓ９５）。
【００６３】
Ｓ９９において、印刷情報の印刷が指示されていない場合（Ｓ９９：ＮＯ）、ＣＰＵ４０１は、印刷情報の編集が指示されたか否かを判断する（Ｓ１０１）。本実施形態では、方向キーを用いて編集を示す画像が選択されて、確定キーが押された場合に、ＣＰＵ４０１は、印刷情報の編集が指示されたと判断する。印刷情報の編集が指示されていない場合（Ｓ１０１：ＮＯ）、ＣＰＵ４０１は、印刷情報の削除が指示されたか否かを判断する（Ｓ１０３）。本実施形態では、方向キーを用いて削除を示す画像が選択されて、確定キーが押された場合に、ＣＰＵ４０１は、印刷情報の削除が指示されたと判断する。
【００６４】
印刷情報の削除が指示された場合（Ｓ１０３：ＹＥＳ）、ＣＰＵ４０１は、印刷装置１に記憶された印刷情報を削除する。また、ＣＰＵ４０１は、印刷情報と関連付けられたショートカットキーの情報を、フラッシュメモリ４１０から削除する（Ｓ１０５）。これにより、削除された印刷情報と関連付けられたショートカットキーも、登録されているショートカットキーから削除される。
【００６５】
Ｓ１０１において、印刷情報の編集が指示された場合（Ｓ１０１：ＹＥＳ）、ＣＰＵ４０１はオブジェクト選択処理を実行する（Ｓ１０７）。オブジェクト選択処理では、ＣＰＵ４０１は、オブジェクト選択画面（図示略）をディスプレイ５に表示させ、オブジェクトの選択を受け付ける。オブジェクト選択画面は、オブジェクトを選択するための画像を含む。
【００６６】
ＣＰＵ４０１は、操作部２を介してオブジェクトの選択を受け付けると、転送テンプレート入力処理を実行する（Ｓ１０９）。転送テンプレート入力処理では、ＣＰＵ４０１は、データベース選択画面（図示略）をディスプレイ５に表示させ、データベースの選択を受け付ける。データベース選択画面は、データベースを選択するための画像を含む。ユーザは、操作部２を用いて、データベースを変更できる。ＣＰＵ４０１は、操作部２を介してデータベースの選択を受け付けると、データベースをＳ１０７において選択されたオブジェクトと関連付ける。
【００６７】
Ｓ１０９を実行後、ＣＰＵ４０１は、印刷画面（図示略）をディスプレイ５に表示させ、印刷枚数の指定を受け付ける（Ｓ１１１）。印刷画面は、印刷枚数を指定するための画像を含む。ＣＰＵ４０１は、操作部２を介して印刷枚数の指定を受け付けると、印刷情報（転送テンプレート）に基づき、印刷処理を実行する（Ｓ１１３）。詳細には、ＣＰＵ４０１は、データベースと、Ｓ１０７において選択されたオブジェクトとに基づき、印刷処理を実行する。
【００６８】
Ｓ９５、Ｓ１０５、又はＳ１１３を実行後、ＣＰＵ４０１はショートカット挿入処理を終了する。
【００６９】
以上説明したように、本実施形態によれば、印刷装置１はディスプレイ５を備える。第二リスト表示処理（図８参照）では、第二リストがディスプレイ５に表示される。第二リストは、印刷媒体に印刷可能な印刷情報に関連付けられたショートカットキーを含む。ＣＰＵ４０１は、第二リストに含まれるショートカットキーのうち一つのショートカットキーの選択を受け付ける（Ｓ７７）。ショートカットキーが選択されると、プレビュー画像がディスプレイ５に表示される（Ｓ７９）。プレビュー画像は、ショートカットキーと関連付けられた印刷情報の少なくとも一部を示す。ユーザは、第二リストに含まれるショートカットキーから、ユーザの所望するショートカットキーを選択できる。また、ユーザは、プレビュー画像を見ることにより、ショートカットキーと関連付けられた印刷情報を把握できる。
【００７０】
第二リスト表示処理では、少なくとも印刷情報に応じて、印刷情報が装着媒体に印刷可能であるか否かが判断される（Ｓ１２５）。そして、装着媒体に印刷可能であると判断された印刷情報と関連付けられたショートカットキーのみを含む第二リストが、ディスプレイ５に表示される（Ｓ１３４）。ユーザは、第二リストに含まれるショートカットキーを選択することにより、装着媒体に印刷可能な印刷情報を容易に選択できる。
【００７１】
本実施形態では、検出部１２の複数の検出スイッチのオン・オフの組合せに基づき、カセット装着部８に装着されたテープカセット３０の種類の検出が行われる。第二リスト表示処理において、印刷情報が印刷可能媒体の情報を含む場合、テープカセット３０の種類の情報（詳細には、装着媒体の情報）と印刷可能媒体の情報とに応じて、印刷情報が装着媒体に印刷可能である否かが判断される（Ｓ１２５）。印刷情報が印刷可能媒体の情報を含む場合、第二リストは、装着媒体の情報と印刷可能媒体の情報とに応じて装着媒体に印刷可能であると判断された印刷情報と関連付けられたショートカットキーを含む。ユーザは、装着媒体に印刷可能な印刷情報を容易に選択できる。
【００７２】
本実施形態では、印刷可能媒体の情報は印刷可能媒体の幅を示す。第二リスト表示処理において、印刷情報が印刷可能媒体の情報を含む場合、印刷可能媒体の幅が装着媒体の幅と一致する場合に、印刷情報が装着媒体に印刷可能であると判断される。ユーザは、装着媒体の幅により適した印刷情報を容易に選択できる。
【００７３】
第二リスト表示処理において、印刷情報が、印刷可能媒体の情報を含まない場合、印刷情報は装着媒体に印刷可能であると判断される。第二リストは、印刷可能媒体の情報を含まない印刷情報と関連付けられたショートカットキーを含む。ユーザは、印刷可能媒体の情報を含まない印刷情報も容易に選択できる。
【００７４】
第二リスト表示処理において、ショートカットキーと関連付けられた印刷情報が印刷装置１に記憶されていない場合（Ｓ１２１：ＮＯ）、ショートカットキーの情報は、フラッシュメモリ４１０から削除される（Ｓ１２３）。削除された印刷情報に関連付けられたショートカットキーは、第二リストに含まれない。ユーザは、印刷装置１に記憶されている印刷情報に関連付けられたショートカットキーから、所望のショートカットキーを選択できる。故に、ユーザの利便性が向上する。
【００７５】
ショートカット挿入処理（図７参照）において、ショートカットキーが選択されると、プレビュー画像と、選択されたショートカットキーを含む第二リストとが、ディスプレイ５に表示される（Ｓ７５〜Ｓ７９）。ユーザは、ショートカットキーとプレビュー画像とを見ることにより、ショートカットキーと関連付けられた印刷情報をより容易に把握できる。
【００７６】
本発明は上記実施形態に限定されるものではなく、種々の変更が可能である。例えば、第二リスト表示処理のＳ１２５において、印刷情報が印刷可能媒体の情報を含む場合、ＣＰＵ４０１は、印刷可能媒体の幅が装着媒体の幅以下である場合に、印刷情報が装着媒体に印刷可能であると判断してもよい。この場合、ユーザは、装着媒体に印刷可能な印刷情報を容易に選択できる。
【００７７】
ショートカット挿入処理のＳ７９において、選択されたショートカットキーを含む第二リストは表示されず、プレビュー画像のみが、ディスプレイ５に表示されてもよい。この場合でも、ユーザは、プレビュー画像を見ることにより、選択されているショートカットキーと関連付けられた印刷情報を把握できる。
【００７８】
第二リスト表示処理におけるＳ１２１及びＳ１２３は行われなくてもよい。この場合、第二リストは、削除された印刷情報に関連付けられたショートカットキーを含む。第二リスト表示処理におけるＳ１２５、Ｓ１２７、及びＳ１２９の処理は行われなくてもよい。この場合、第二リストは、装着媒体に印刷可能でない印刷情報に関連付けられたショートカットキーを含む。これらの場合でも、ユーザは、第二リストを見て、所望のショートカットキーを選択できる。
【００７９】
第二リスト表示処理において、Ｓ１３４のみが行われてもよい。この場合、第二リストは、登録されている全てのショートカットキーを含む。この場合でも、ユーザは、第二リストを見て、所望のショートカットキーを選択できる。
【００８０】
印刷可能媒体の情報は、ラミネートタイプ、レセプタタイプ、チューブタイプ等、印刷可能媒体の種類であってもよい。同様に、装着媒体の情報は、装着媒体の種類を示す情報であってもよい。第二リスト表示処理のＳ１２５において、印刷情報が印刷可能媒体の情報を含む場合、ＣＰＵ４０１は、印刷可能媒体の種類が装着媒体の種類と一致する場合に、印刷情報が装着媒体に印刷可能であると判断してもよい。
【００８１】
印刷情報は、画像データ（ラスタデータ）であってもよい。印刷情報が、印刷装置１以外の装置から印刷装置１に転送された画像データである場合、印刷情報は、画像データが示す画像の、第一方向における長さと第二方向における長さを含んでいてもよい。第一方向は、印刷媒体に画像が印刷される場合における、印刷媒体が延びる方向である。第二方向は、第一方向に略直交する方向である。この場合、第二リスト表示処理のＳ１２５では、ＣＰＵ４０１は、装着媒体の情報と画像の第一方向における長さとに応じて、画像データが示す画像が装着媒体に印刷可能であるか否かを判断すればよい。
【００８２】
ショートカット登録処理及びショートカット挿入処理はそれぞれ、ＣＰＵ４０１以外の電子部品（例えば、ＡＳＩＣ）によって実行されてもよい。ショートカット登録処理及びショートカット挿入処理はそれぞれ、複数の電子機器（つまり、複数のＣＰＵ）によって分散処理されてもよい。
【００８３】
上記実施形態では、本発明を印刷装置１に適用した場合を例示したが、本発明は、表示部に印刷情報を表示可能な装置に適用できる。
【００８４】
上記実施形態において、ディスプレイ５が、本発明の「表示部」に相当する。第二リスト２１０が、本発明の「選択画像」に相当する。フラッシュメモリ４１０が、本発明の「記憶部」に相当する。
【００８５】
図８に示す第二リスト表示処理のＳ１３４を実行するＣＰＵ４０１が、本発明の「第一表示制御手段」に相当する。図７に示すショートカット挿入処理のＳ７７を実行するＣＰＵ４０１が、本発明の「受付手段」に相当する。Ｓ７９を実行するＣＰＵ４０１が、本発明の「第二表示制御手段」に相当する。Ｓ１２５を実行するＣＰＵ４０１が、本発明の「判断手段」に相当する。Ｓ１２３を実行するＣＰＵ４０１が、本発明の「削除手段」に相当する。
【００８６】
Ｓ１３４の処理が、本発明の「第一表示制御ステップ」に相当する。Ｓ７７の処理が、本発明の「受付ステップ」に相当する。Ｓ７９の処理が、本発明の「第二表示制御ステップ」に相当する。Ｓ１２５の処理が、本発明の「判断ステップ」に相当する。Ｓ１２３の処理が、本発明の「削除ステップ」に相当する。
【符号の説明】
【００８７】
１    印刷装置
５    ディスプレイ
１２    検出部
３０    テープカセット
２１０    第二リスト
２１１    ショートカットキー
２１２    ショートカットキー
２１３    ショートカットキー
２２１    プレビュー画像
４０１    ＣＰＵ
４１０    フラッシュメモリ
【図１】
2017052190.tif 000003
【図２】
2017052190.tif 000004
【図３】
2017052190.tif 000005
【図４】
2017052190.tif 000006
【図５】
2017052190.tif 000007
【図６】
2017052190.tif 000008
【図７】
2017052190.tif 000009
【図８】
2017052190.tif 000010
【図９】
2017052190.tif 000011